【手続補正書】
【提出日】平成17年4月27日(2005.4.27)
【手続補正１】
【補正対象書類名】明細書
【補正対象項目名】０００２
【補正方法】変更
【補正の内容】
【０００２】
【従来の技術】
メークアップ化粧料の持っている重大な機能の一つに、シミやソバカス等の肌トラブルのカバーがある。この為、メークアップ化粧料には、二酸化チタンや酸化亜鉛などの隠蔽作用を有する粉体などが使用されることが多い。この場合、これら隠蔽性粉体が白色をしていることから、ベンガラや黄色酸化鉄などの有色含量を加えて肌色に調色している。しかしながら、この様な調色に於いては、肌色に合わせていても、化粧仕上がりの白っぽさと厚ぼったさが出てしまう場合が少なくない。
【手続補正２】
【補正対象書類名】明細書
【補正対象項目名】０００３
【補正方法】変更
【補正の内容】
【０００３】
粉体含有化粧料に於いて、半透明粉体を多量に含有させることは、当該半透明粉体の乱反射作用によって、デフォーカス効果を生みだし、仕上がりの厚ぼったさを抑制しうることは既に知られていたが、この様なデフォーカスメークは、カバー力の点で問題があり、十分にシミやソバカスをカバーできない場合がある。又、メークアップ化粧料の白っぽさを抑制する手段としては、鉄などの有色金属酸化物と紫外線吸収粉体と燒結粉体を用いる方法が知られているが、かかる燒結粉体に於いては、厚ぼったさは解決できない場合が多く、更に、のびの点で改良されなければならない場合がある。即ち、シミやソバカスなどの肌トラブルをカバーしながら、白っぽさや厚ぼったさを感じないメークアップ化粧料の開発が望まれていた。
【手続補正３】
【補正対象書類名】明細書
【補正対象項目名】０００７
【補正方法】変更
【補正の内容】
【０００７】
【発明の実施の形態】
（１）本発明の必須成分である多層被覆粉体
本発明の必須成分である多層被覆粉体は、球状の無水珪酸に二酸化チタンを被覆し、これに更に無水珪酸を被覆した粉体であり、このものは例えば、球状シリカ上に、水溶性チタ
ニウム塩を中和して得た水酸化チタニウムを水性担体中で析出させ、このものを焼成し、この焼成物を水ガラスの極性溶液中に分散させ、酸などで水ガラスを中和してシリカゲルを当該焼成物上に析出させ、これを燒結すれば得られる。又、球状シリカゲルを水性担体に分散させ、これにチタニウムアルコキシドを添加し、アンモニア水等で中和して水酸化チタニウムを球状シリカ上に析出させ、これを焼成し、二酸化チタン被覆球状シリカとなし、更にこの焼成物を水ガラスの極性溶液中に分散させ、塩酸等の酸で中和し、水洗した後焼成しても得ることができる。この様な多層被覆粉体は上述の如く製造して使用しても良いが、既に市販されているものもあり、このものを利用することができる。かかる市販の多層被覆粉体としては、触媒化成株式会社製のマルチプルビーズが好ましく例示できる。ここで、本発明に好適な多層被覆粉体の好適な物性を記述すれば、最内層のシリカは球状であることが好ましく、その平均粒子径は１〜１０μｍが好ましく、この様な市販品としてはシリカマイクロビートＰ１５００（触媒化成株式会社製）などが例示できる。本発明の多層被覆粉体では、当該シリカが７０〜９０重量％になる様に調整するのが好ましい。これは白っぽさを抑制するのに好ましい含有量であるからである。又、この無水珪酸の外殻に被覆される二酸化チタンは、ルチル型の結晶系でも、アナタース型の結晶系でも、その混合系でも可能であり、多層被覆粉体全量に対して１〜１０重量％程度被覆するように調整するのが好ましい。これは、紫外線吸収特性を維持にするために必要な量だからである。この二酸化チタンの層の外殻に被覆される無水珪酸は、多層被覆粉体全量に対して、５〜１５重量％になる様に調整するのが好ましい。これは、半透明な光学効果により、白っぽさが目立つことなく、自然な仕上がりを提供するのに必要だからである。尚、当該多層被覆粉体はそのまま含有させることも可能であるし、表面を、例えば、ジメチルポリシロキサン焼き付け処理、ハイドロジェンメチルポリシロキサン焼き付け処理、金属石鹸被覆処理、パーフルオロアルキル処理、シランカップリング処理、シリル化処理、脂肪酸被覆処理、アシルアミノ酸及び／又はその塩による被覆処理等の疎水化処理をしたりして使用することも可能であり、この様なものを用いることも本発明の技術的範囲に属する。本発明の化粧料に於ける、当該多層被覆粉体の好ましい含有量は、１〜３０重量％であり、更に好ましくは５〜２０重量％である。これは、多すぎると、効果の割にコストが高くなり、経済効果が少ないからであり、少ないと白さが目立ったり、紫外線防護効果が損なわれたりするためである。
【手続補正４】
【補正対象書類名】明細書
【補正対象項目名】００１１
【補正方法】変更
【補正の内容】
【００１１】
＜実施例１＞下記に示す処方に従って、ファンデーションを作製した。即ち、イの成分をヘンシェルミキサーで混合した後、０．９ｍｍの丸穴スクリーンを装着したパルベライザーで粉砕し、ヘンシェルミキサーで混合しながら、ロの成分を噴霧してコーティングし、１ｍｍヘリングボーンスクリーンを装着したパルベライザーで粉砕して、金皿に詰めて加圧成型しファンデーションを得た。このファンデーションについて、化粧仕上がりの自然さ（白っぽさの目立たなさ）と密着性（厚ぼったさを感じない）とカバー力（シミやソバカスを隠すことができる）を専門パネラー５名により評価した。評価基準は、＋＋：白っぽさ、厚ぼったさ或いはシミやソバカスが全く目立たない、＋：白っぽさ、厚ぼったさ或いはシミやソバカスが殆ど目立たない、＋−：白っぽさ、厚ぼったさ或いはシミやソバカスが比較的抑制されている、−：白っぽい、厚ぼったい或いはシミやソバカスが目立つを用いた。尚、マルチプルビーズ（球状無水珪酸８５．５％、二酸化チタン４．５％、最外殻の無水珪酸１０％）を球状無水珪酸８５．５％、二酸化チタン４．５％、無水珪酸１０％の混合物に置換したものを比較例１、マルチプルビーズを球状無水珪酸上に二酸化チタンを被覆した粉体（球状無水珪酸９５％、二酸化チタン５％）９０％と無水珪酸１０％の混合物に置換したものを比較例２、球状粉体であるナイロンパウダーを全てタルクに置換
したものを比較例３とし、ナイロンパウダーを全てタルクに置換し、且つ、マルチプルビーズを球状無水珪酸８５．５％、二酸化チタン４．５％、無水珪酸１０％の混合物に置換したものを比較例４とし、ナイロンパウダーを全てタルクに置換し、且つ、マルチプルビーズを球状無水珪酸上に二酸化チタンを被覆した粉体（球状無水珪酸９５％、二酸化チタン５％）９０％と無水珪酸１０％の混合物に置換したものを比較例５とした。結果を表１に示す。これより本発明の化粧料は、充分なカバー力を有しているにもかかわらず、白っぽさや厚ぼったさが更に目立たなくなり、メークアップ効果に優れることがわかる。
イ
マルチプルビーズ         １０    重量部
二酸化チタン             １０    重量部
ナイロンパウダー         ２０    重量部
タルク                   １０    重量部
セリサイト               ２０    重量部
マイカ                   １５    重量部
黄色酸化鉄                 ４    重量部
ベンガラ                   ０．５重量部
紺青                       ０．２重量部
チタンマイカ               ０．３重量部
ロ
ジメチルポリシロキサン   １０    重量部
【手続補正５】
【補正対象書類名】明細書
【補正対象項目名】００１３
【補正方法】変更
【補正の内容】
【００１３】
＜実施例２＞下記に示す処方に従って、ファンデーションを作製した。即ち、イの成分をヘンシェルミキサーで混合した後、０．９ｍｍの丸穴スクリーンを装着したパルベライザーで粉砕し、ヘンシェルミキサーで混合しながら、ロの成分を噴霧してコーティングし、１ｍｍヘリングボーンスクリーンを装着したパルベライザーで粉砕して、金皿に詰めて加圧成型しファンデーションを得た。このものは、実施例１の白っぽさの評価では＋〜＋＋、厚ぼったさの評価では＋〜＋＋、カバー力の評価では＋＋（評価者１名）であった。
イ
ハイドロジェンメチルポリシロキサン５重量％焼き付け処理
マルチプルビーズ                          １０    重量部
二酸化チタン                              １０    重量部
タルク                                    １０    重量部
フロービーズＣＬ５０００                  ２０    重量部
セリサイト                                ２０    重量部
マイカ                                    １５    重量部
黄色酸化鉄                                  ４    重量部
ベンガラ                                    ０．５重量部
紺青                                        ０．２重量部
チタンマイカ                                ０．３重量部
ロ
ジメチルポリシロキサン                    １０    重量部
【手続補正６】
【補正対象書類名】明細書
【補正対象項目名】００１４
【補正方法】変更
【補正の内容】
【００１４】
＜実施例３＞下記に示す処方に従って、ファンデーションを作製した。即ち、イの成分をヘンシェルミキサーで混合した後、０．９ｍｍの丸穴スクリーンを装着したパルベライザーで粉砕し、ヘンシェルミキサーで混合しながら、ロの成分を噴霧してコーティングし、１ｍｍヘリングボーンスクリーンを装着したパルベライザーで粉砕して、金皿に詰めて加圧成型しファンデーションを得た。このものは、実施例１の白っぽさの評価では＋＋、厚ぼったさの評価では＋〜＋＋、カバー力の評価では＋＋であった。（評価者１名）
イ
マルチプルビーズ        １０    重量部
シリカビーズ            ２０    重量部
ステアリン酸アルミニウムコーティング処理（以下、ＡＳ処理と言う。）
二酸化チタン            １０    重量部
ＡＳ処理タルク          １０    重量部
ＡＳ処理セリサイト      ２０    重量部
ＡＳ処理マイカ          １５    重量部
ＡＳ処理黄色酸化鉄        ４    重量部
ＡＳ処理ベンガラ          ０．５重量部
ＡＳ処理紺青              ０．２重量部
ＡＳ処理チタンマイカ      ０．３重量部
ロ
ジメチルポリシロキサン  １０    重量部
【手続補正７】
【補正対象書類名】明細書
【補正対象項目名】００１５
【補正方法】変更
【補正の内容】
【００１５】
＜実施例４＞下記に示す処方に従って、ファンデーションを作製した。即ち、イの成分をヘンシェルミキサーで混合した後、０．９ｍｍの丸穴スクリーンを装着したパルベライザーで粉砕し、ヘンシェルミキサーで混合しながら、ロの成分を噴霧してコーティングし、１ｍｍヘリングボーンスクリーンを装着したパルベライザーで粉砕して、金皿に詰めて加圧成型しファンデーションを得た。このものは、実施例１の白っぽさの評価では＋〜＋＋、厚ぼったさの評価では＋〜＋＋、カバー力の評価では＋＋（評価者１名）であった。
イ
マルチプルビーズ        １０    重量部
チュウクウビーズ        １０    重量部
Ｎ−ラウロイルグルタミン酸アルミニウム処理（以下、ＡＬ処理と言う。）
二酸化チタン            １０    重量部
ＡＬ処理タルク          ２０    重量部
ＡＬ処理セリサイト      ２０    重量部
ＡＬ処理マイカ          １５    重量部
ＡＬ処理黄色酸化鉄        ４    重量部
ＡＬ処理ベンガラ          ０．５重量部
ＡＬ処理紺青              ０．２重量部
ＡＬ処理チタンマイカ      ０．３重量部
ロ
ジメチルポリシロキサン  １０    重量部
【手続補正８】
【補正対象書類名】明細書
【補正対象項目名】００１６
【補正方法】変更
【補正の内容】
【００１６】
＜実施例５＞下記に示す処方に従って、ファンデーションを作製した。即ち、イの成分をヘンシェルミキサーで混合した後、０．９ｍｍの丸穴スクリーンを装着したパルベライザーで粉砕し、ヘンシェルミキサーで混合しながら、ロの成分を噴霧してコーティングし、１ｍｍヘリングボーンスクリーンを装着したパルベライザーで粉砕して、金皿に詰めて加圧成型しファンデーションを得た。このものは、実施例１の白っぽさの評価では＋、厚ぼったさの評価では＋〜＋＋、カバー力の評価では＋＋（評価者１名）であった。
イ
マルチプルビーズ                                  １０    重量部
ジメチコンー１００ｃ．ｓ．３％焼き付け処理（以下、ＤＭ処理と言う。）
二酸化チタン（チタンマイクロビードＡＡ１５１４）  １０    重量部
ＤＭ処理タルク                                    ３０    重量部
ＤＭ処理セリサイト                                ２０    重量部
ＤＭ処理マイカ                                    １５    重量部
ＤＭ処理黄色酸化鉄                                  ４    重量部
ＤＭ処理ベンガラ                                    ０．５重量部
ＤＭ処理紺青                                        ０．２重量部
ＤＭ処理チタンマイカ                                ０．３重量部
ロ
ジメチルポリシロキサン                            １０    重量部
【手続補正９】
【補正対象書類名】明細書
【補正対象項目名】００１７
【補正方法】変更
【補正の内容】
【００１７】
＜実施例６〜８＞下記に示す処方に従って、マルチプルビーズとトスパール１２０Ａの比を変えて、ファンデーションを作製した。即ち、イの成分をヘンシェルミキサーで混合した後、０．９ｍｍの丸穴スクリーンを装着したパルベライザーで粉砕し、ヘンシェルミキサーで混合しながら、ロの成分を噴霧してコーティングし、１ｍｍヘリングボーンスクリーンを装着したパルベライザーで粉砕して、金皿に詰めて加圧成型しファンデーションを得た。白っぽさ、厚ぼったさ及びカバー力の評価を表２に示す。これより、本発明の化粧料に於いて、多層被覆粉体及びそれ以外の球状粉体の好ましい含有量は、それぞれ１〜３０重量％、更に好ましくは５〜２０重量％であることがわかる。
イ
マルチプルビーズ              表４の（１）に記載の重量部
トスパール１２０Ａ            表４の（２）に記載の重量部
ハイドロジェンメチルポリシロキサン３％焼付処理（以下ＨＭＳ処理という）
二酸化チタン（タイペークＴＴＯ−Ｆ−６）  １０    重量部
ナイロンパウダー                            ５    重量部
ＨＭＳ処理タルク                          １５    重量部
ＨＭＳ処理セリサイト                      ２０    重量部
ＨＭＳ処理マイカ                          １５    重量部
ＨＭＳ処理黄色酸化鉄                        ４    重量部
ＨＭＳ処理ベンガラ                          ０．５重量部
ＨＭＳ処理紺青                              ０．２重量部
ＨＭＳ処理チタンマイカ                      ０．３重量部
ロ
ジメチルポリシロキサン                    １０    重量部
【手続補正１０】
【補正対象書類名】明細書
【補正対象項目名】００１９
【補正方法】変更
【補正の内容】
【００１９】
【発明の効果】
本発明によれば、白っぽさや厚ぼったさが目立たず、メークアップ化粧料に好適な化粧料を提供することができる。